(57)【特許請求の範囲】
【請求項１】
浴槽水をトイレ注水に用いるトイレ注水装置であって、
便器の洗浄水を溜める洗浄水タンクと、
浴槽に給湯するとともに前記浴槽水を再加熱する給湯・追焚手段と、
この給湯・追焚手段の追焚経路のポンプを通して前記浴槽水を前記洗浄水タンクに供給する送水手段と、
を備え、前記送水手段は、
前記給湯・追焚手段と前記浴槽とを連結する前記追焚経路に接続された浴槽水側管路と、
前記給湯・追焚手段に上水を供給する上水管に接続され、前記上水又は前記浴槽水を洗浄水として前記洗浄水タンクに供給する洗浄水供給管路と、
前記洗浄水供給管路から分岐され、前記浴槽水側管路に切換弁を介して連結させた分岐管と、
前記洗浄水供給管路に設置されて上水を通過又は遮断する開閉弁と、
を備え、前記切換弁によって前記洗浄水供給管路に流す前記洗浄水を前記浴槽水か前記上水かに切り換え、前記開閉弁によって前記上水の供給を切り換えることを特徴とするトイレ注水装置。
【請求項２】
浴槽水をトイレ注水に用いるトイレ注水装置であって、
便器の洗浄水を溜める洗浄水タンクと、
浴槽に給湯するとともに前記浴槽水を再加熱する給湯・追焚手段と、
上水又は前記浴槽水を選択的に前記洗浄水タンクに供給し、前記浴槽水の場合、追焚経路のポンプを通して前記浴槽水を前記洗浄水タンクに圧送させる送水手段と、
前記洗浄水タンクからの排水モードを検出し、洗浄水として前記浴槽水又は前記上水を前記洗浄水タンクに給水する制御手段と、
を備え、前記送水手段は、
前記給湯・追焚手段と浴槽とを連結する前記追焚経路に接続された浴槽水側管路と、
前記給湯・追焚手段に上水を供給する上水管に接続され、前記上水又は前記浴槽水を前記洗浄水タンクに供給する洗浄水供給管路と、
前記洗浄水供給管路から分岐され、前記浴槽水側管路に切換弁を介して連結させた分岐管と、
前記洗浄水供給管路に設置されて上水を通過又は遮断する開閉弁と、
を備え、前記切換弁によって前記洗浄水供給管路に流す前記洗浄水を前記浴槽水か前記上水かに切り換え、前記開閉弁によって前記上水の供給を切り換えることを特徴とするトイレ注水装置。
【請求項３】
前記送水手段は、前記給湯・追焚手段を通して前記浴槽に給水又は給湯する給湯・給水モード、前記浴槽水を追焚経路を通して再加熱する追焚モード、又は入浴中の場合、前記洗浄水タンクへの給水を前記上水に制限することを特徴とする請求項１、２記載のトイレ注水装置。
【発明の詳細な説明】
【０００１】
【発明の属する技術分野】
本発明は、水洗トイレの洗浄に浴槽水を利用するトイレ注水装置に関する。
【０００２】
【従来の技術】
水洗トイレでは、通常、飲料水と同様の上水が使用されており、排泄物の便器外への排出と便器洗浄とを同時に行うことから、１回の処理に１０リットル程度の水が必要である。そのため、かかる用途からすると、水道等の上水の使用には経済的に問題がある。
【０００３】
【発明が解決しようとする課題】
ところで、特開平９−２７９６４０号「浴槽水を用いた中水道水源取水装置」、特開平９−２６８６０６号「用水回収装置」等、水洗トイレには生活排水の再利用等が提案されている。この提案は、上水を節水する観点からは有効であるが、水道の給水に比較して設備が大掛かりになる等の欠点がある。
【０００４】
そこで、本発明は、水洗トイレに浴槽水を用いることにより、節水を図ったトイレ注水装置を提供することを目的とする。
【０００５】
【課題を解決するための手段】
本発明のトイレ注水装置は、浴槽水（Ｗ1 ）をトイレ注水に用いるトイレ注水装置であって、浴槽（４）への給水又は給湯中、浴槽水の再加熱中、又は入浴中等、入浴環境を妨げることなく、既設の給湯・追焚手段の追焚経路及びポンプを用いることにより、上水使用量を削減したものである。
【０００６】
請求項１に係る本発明のトイレ注水装置は、浴槽水（Ｗ1 ）をトイレ注水に用いるトイレ注水装置であって、便器の洗浄水（Ｗ2 ）を溜める洗浄水タンク（２２）と、浴槽（４）に給湯するとともに前記浴槽水（Ｗ1 ）を再加熱する給湯・追焚手段（給湯追焚装置２）と、この給湯・追焚手段の追焚経路（８）のポンプ（５８）を通して前記浴槽水を前記洗浄水タンクに供給する送水手段（送水装置１４）と、を備え、前記送水手段は、前記給湯・追焚手段と前記浴槽とを連結する前記追焚経路に接続された浴槽水側管路（管路７６）と、前記給湯・追焚手段に上水を供給する上水管に接続され、前記上水又は前記浴槽水を洗浄水として前記洗浄水タンクに供給する洗浄水供給管路（管路７８、２０）と、前記洗浄水供給管路から分岐され、前記浴槽水側管路に切換弁（８２）を介して連結させた分岐管（８０）と、前記洗浄水供給管路に設置されて上水を通過又は遮断する開閉弁（９０）とを備え、前記切換弁によって前記洗浄水供給管路に流す前記洗浄水を前記浴槽水か前記上水かに切り換え、前記開閉弁によって前記上水の供給を切り換えることを特徴とする。
【０００７】
即ち、洗浄水タンクには、便器を洗浄するため、１０リットル程度の洗浄水が溜められる。一方、浴槽には３００リットル程度の浴槽水が溜められ、この浴槽水は使用状態によって変動するものの、通常、残り湯として相当量の湯が残留していることが予想される。そこで、この浴槽から浴槽水を給湯・追焚手段の追焚経路及びそのポンプを通して洗浄水タンクに供給すれば、従来使用されていた上水量を節約できることになる。
【０００８】
請求項２に係る本発明のトイレ注水装置は、浴槽水（Ｗ1 ）をトイレ注水に用いるトイレ注水装置であって、便器の洗浄水を溜める洗浄水タンクと、浴槽に給湯するとともに前記浴槽水を再加熱する給湯・追焚手段と、上水（Ｗｏ）又は前記浴槽水を選択的に前記洗浄水タンクに供給し、前記浴槽水の場合、追焚経路のポンプを通して前記浴槽水を前記洗浄水タンクに圧送させる送水手段（送水装置１４）と、前記洗浄水タンクからの排水モードを検出し、洗浄水として前記浴槽水又は前記上水を前記洗浄水タンクに給水する制御手段（送水制御部２００）と、を備え、前記送水手段は、前記給湯・追焚手段と浴槽とを連結する前記追焚経路に接続された浴槽水側管路（管路７６）と、前記給湯・追焚手段に上水を供給する上水管に接続され、前記上水又は前記浴槽水を前記洗浄水タンクに供給する洗浄水供給管路（管路７８、２０）と、前記洗浄水供給管路から分岐され、前記浴槽水側管路に切換弁（８２）を介して連結させた分岐管（８０）と、前記洗浄水供給管路に設置されて上水を通過又は遮断する開閉弁（９０）とを備え、前記切換弁によって前記洗浄水供給管路に流す前記洗浄水を前記浴槽水か前記上水かに切り換え、前記開閉弁によって前記上水の供給を切り換えることを特徴とする。即ち、洗浄水タンクから便器への洗浄水の供給は、必要に応じて行われ、これが排水モードである。そこで、この排水モードへの移行に従って送水手段を通して洗浄水タンクに上水又は浴槽水を供給している。
【０００９】
請求項３に係る本発明のトイレ注水装置において、前記送水手段は、前記給湯・追焚手段を通して前記浴槽に給水又は給湯する給湯・給水モード、前記浴槽水を追焚経路を通して再加熱する追焚モード、又は入浴中の場合、前記洗浄水タンクへの給水を前記上水に制限することを特徴とする。即ち、洗浄水タンクへの浴槽水の供給を、入浴環境を損なわない範囲に限定して節水を可能にしている。
【００１０】
【発明の実施の形態】
以下、この発明を図面に示した実施の形態を参照して詳細に説明する。
【００１１】
図１は、本発明のトイレ注水装置の一実施形態を示している。このトイレ注水装置は、既設の給湯・追焚手段である給湯追焚装置２に付加され、上水Ｗｏ又は浴槽４の浴槽水Ｗ1 をトイレ注水、即ち、便器の洗浄水Ｗ2 に使用するものである。給湯追焚装置２は、上水ＷO を加熱して浴槽４又は図示しない厨房等に加熱した上水Ｗｏとして給湯し、又は浴槽４内の浴槽水Ｗ1 を再加熱、即ち、追焚きを行う手段である。
【００１２】
給湯追焚装置２と浴槽４の循環口６との間には、追焚経路８として戻り管１０及び往き管１２が設けられており、その戻り管１０、往き管１２の中途部に送水手段としての送水装置１４が設けられている。この送水装置１４と給湯追焚装置２には上水管１６を通して上水Ｗｏが供給され、給湯追焚装置２から給湯管１８を通して加熱された上水Ｗｏが図示しない給湯部位に供給されている。
【００１３】
送水装置１４から選択的に上水Ｗｏ又は浴槽水Ｗ1 が管路２０を通して洗浄水タンク２２に導かれ、管路２０の終端部側には開閉弁２４が設けられ、この開閉弁２４を介して分岐した管路からなる２つの給水管２６、２８が設けられており、これら給水部２６、２８から出た上水Ｗｏ又は浴槽水Ｗ1 は、洗浄水タンク２２に洗浄水Ｗ2 として溜められる。給水部２８から給水される上水Ｗｏが手の洗浄等に供される。
【００１４】
洗浄水タンク２２には、その底部に排水管３０とともに止水弁３１が設けられ、この止水弁３１は洗浄水タンク２２の底部に窪ませて形成された弁孔３２に対してボール状の弁体３４を移動可能に設けたものであり、弁体３４は時限止水装置３６にアーム３８を介して取り付けられている。アーム３８には牽引ワイヤ４０が係合しており、この牽引ワイヤ４０の終端部は洗浄水タンク２２の側部に設けられたレバー４２に取り付けられ、レバー４２の回動により弁体３４を移動させ、弁孔３２を開くことができる。また、弁体３４の移動は時限止水装置３６に伝えられ、この弁体３４は所定時間後に弁孔３２を閉じ、かつ、排水時に開閉弁２４を開き、所定の水位に到達したとき、開閉弁２４を閉じる。ここで、レバー４２が操作されて排水を開始し、時限止水装置３６が給水を停止するまでの間が排水モードである。
【００１５】
次に、図２は、給湯追焚装置２及び送水装置１４の内部構造を示している。給湯追焚装置２には、第１及び第２の熱交換器として給湯用熱交換器４４、追焚用熱交換器４６が設けられ、給湯用熱交換器４４には上水管１６に連結した給水管４８を介して上水Ｗｏが供給され、その入水側の温度は温度センサ５０、水量は水量センサ５２で検出され、また、加熱した上水Ｗｏは給湯管５４に連結された給湯管１８から給湯される。給湯用熱交換器４４の出湯側の温度は温度センサ５６で検出される。
【００１６】
また、追焚用熱交換器４６は、戻り管１０、往き管１２との間に取り付けられ、戻り管１０側には、浴槽水Ｗ1 等を圧送するポンプ５８、切換弁６０、浴槽水Ｗ1 の水位を水圧により検出する水位センサ６２、浴槽水Ｗ1 の温度を検出する温度センサ６４が設けられている。戻り管１０と給湯管５４との間には切換弁６０を介して給湯管６６が設けられ、この給湯管６６には、給湯管６６を開閉する開閉弁６８、上水Ｗｏと浴槽水Ｗ1 とを分離する手段としてのホッパ７０、通過する水量を検出する水量センサ７２が設けられている。
【００１７】
送水装置１４には、戻り管１０の一部を成す第１の管路７４、往き管１２の一部を成す第２の管路７６、上水管１６と連結された給水管を成す第３の管路７８が設けられ、管路７６と管路７８との間には分岐管８０が管路７６側に切換弁８２を設けて連結され、この分岐管８０には止水弁８４が設けられている。管路７８には、バキュームブレーカ８６、止水弁８８、開閉弁９０、水量センサ９２が設けられているとともに、開閉弁９０及び水量センサ９２を跨がってバイパス管９４が接続され、このバイパス管９４には手動開閉弁９６が設けられている。
【００１８】
そして、給湯用熱交換器４４、追焚用熱交換器４６には、それぞれ燃料ガスＧを燃焼させるバーナ４５、４７が設けられ、バーナ４５、４７にはガス供給管４９を通じて燃焼ガスＧが供給されるが、バーナ４５側には比例弁５１、開閉弁５３、バーナ４７側には開閉弁５５が設けられ、燃料ガスＧの供給は元弁５７によって切り換えられる。各バーナ４５、４７には、点火手段として点火プラグ５９、６１が設けられている。
【００１９】
次に、図３及び図４は給湯追焚及び送水を制御する制御装置の一例を示し、図３はその給湯追焚制御部及び送水制御部、図４はその給湯追焚リモコン制御部及び送水リモコン制御部を示している。
【００２０】
給湯追焚制御部１００は、演算制御部１０２、入力回路１０４、駆動回路１０６、送受信回路１０８等を備え、演算制御部１０２はマイクロコンピュータで構成され、ＲＯＭ１１０、ＲＡＭ１１２、ＣＰＵ１１４、入力ポート１１６、出力ポート１１８、入出力ポート１２０を備えている。入力回路１０４には温度センサ６４等の各種センサからの検出出力が加えられ、駆動回路１０６からのポンプ５８の駆動出力、図示しないが切換弁６０、８２等の切換駆動出力が得られる。また、入出力ポート１２０にはリモコン側とのデータの送受を行うために送受信回路１０８による送受信のための入力、出力が得られる。
【００２１】
同様に、送水制御部２００は、演算制御部２０２、入力回路２０４、駆動回路２０６、送受信回路２０８等を備え、演算制御部２０２はマイクロコンピュータで構成され、ＲＯＭ２１０、ＲＡＭ２１２、ＣＰＵ２１４、入力ポート２１６、出力ポート２１８、入出力ポート２２０を備えている。入力回路２０４には温度センサ６４等の各種センサからの検出出力が加えられ、駆動回路２０６から切換弁８２の切換駆動出力、図示しないがポンプ５８等の駆動出力が得られる。また、入出力ポート２２０にはリモコン側とのデータの送受を行うために送受信回路２０８による送受信のための入力、出力が得られる。
【００２２】
給湯追焚リモコン制御部３００は、演算制御部３０２、入力回路３０４、表示回路３０６、送受信回路３０８等を備え、演算制御部３０２はマイクロコンピュータで構成され、ＲＯＭ３１０、ＲＡＭ３１２、ＣＰＵ３１４、入力ポート３１６、出力ポート３１８、入出力ポート３２０を備えている。入力回路３０４には運転スイッチ３０３の入力が加えられ、表示回路３０６から表示出力が得られ、表示器３０７は聴覚上又は視覚上の表示をする。また、入出力ポート３２０にはリモコン側とのデータの送受を行うために送受信回路３０８による送受信のための入力、出力が得られる。
【００２３】
送水リモコン制御部４００は、演算制御部４０２、入力回路４０４、表示回路４０６、送受信回路４０８等を備え、演算制御部４０２はマイクロコンピュータで構成され、ＲＯＭ４１０、ＲＡＭ４１２、ＣＰＵ４１４、入力ポート４１６、出力ポート４１８、入出力ポート４２０を備えている。入力回路４０４には運転スイッチ４０３の入力が加えられ、表示回路４０６から聴覚上又は視覚上の表示出力が得られ、表示器４０７にその表示が得られる。また、入出力ポート４２０にはリモコン側とのデータの送受を行うために送受信回路４０８による送受信のための入力、出力が得られる。
【００２４】
そして、各送受信回路１０８、２０８、３０８、４０８は、ワイヤ等で構成される通信回線、電話回線等の公衆通信回線、赤外線等の無線媒体等の各種伝送媒体９８で連係されている。
【００２５】
次に、この注水動作を図５に示すフローチャートを参照して説明する。
【００２６】
この注水動作モードには運転待機モード及び運転モードがあり、運転モードには給水待機モード、給湯追焚運転モード、浴槽水供給モード、上水供給モードがある。運転待機モードは、運転スイッチがオフ状態にあり、開閉弁９０を開き、切換弁８２が上水供給側に切り換えられて保持されている。
【００２７】
運転スイッチがオン状態に切り換えられると、ステップＳ１で運転モードに移行する。上水ＷO の給水を優先するため、開閉弁９０が開き、切換弁８２は上水供給側に保持された後、ステップＳ２に移行し、給水待機モードとなる。そして、ステップＳ３では、給湯追焚運転モードか否かを判定する。この給湯追焚運転モードは、給湯追焚装置が浴槽４に対して給湯運転又は追焚運転を実行している状態である。
【００２８】
そこで、給湯追焚運転モードである場合、ステップＳ４に移行し、上水供給モードを実行する。即ち、開閉弁９０を開き、切換弁８２が上水供給側に切り換えられ、上水ＷO を洗浄水タンク２２に供給する。
【００２９】
また、ステップＳ３で給湯追焚運転モードでないと判定された場合には、ステップＳ５に移行し、水量センサ９２の検出出力から流水の有無を判定する。即ち、水量センサ９２は、水流により出力変化を生ずるので、その検出出力が制御装置に加えられ、その変化から洗浄水タンク２２の止水弁３１が開かれて排水状態に移行していることが判る。
【００３０】
洗浄水タンク２２側の止水弁３１のレバー４２が操作され、洗浄水タンク２２から便器側に洗浄水Ｗ2 が排出されると、止水弁３１の開弁に連動して時限止水装置３６が作動し、開閉弁２４が開かれる。開閉弁２４の開期間は、洗浄水タンク２２の洗浄水Ｗ2 が所定水位に移行するまで持続することになる。
【００３１】
ステップＳ５で流水がないと判定された場合には、ステップＳ３に戻ってステップＳ４、Ｓ５の動作を繰り返し、流水が検出された場合には、ステップＳ６で上水供給モードを実行する。
【００３２】
ステップＳ６では、上水供給モードが実行され、上水ＷO が開かれている開閉弁９０、切換弁８２を通して管路７８から洗浄水タンク２２に供給される。この上水ＷO は、給水管２８からも流出し、使用者の手洗いに供する。このとき、上水ＷO の供給状態を表す表示出力が得られる。
【００３３】
この上水供給モードの実行により、ステップＳ７では、上水ＷO が洗浄水タンク２２に所定量供給されたか否かを水量センサ９２の検出出力により判定する。所定量の給水を検出するまでその検出を持続し、所定量の給水を検出したとき、ステップＳ８に移行して浴槽水供給モードを実行する。即ち、上水ＷO の給水量は、水量センサ９２で計測され、例えば、１リットル程度の上水Ｗｏを供給する。洗浄水タンク２２の総量Ｑに対し、１０パーセント程度の上水Ｗｏを供給する。所定量の上水ＷO が供給されるまで、上水供給モードが維持され、所定量の上水供給の到達により、ステップＳ８に移行する。
【００３４】
ステップＳ８では、上水供給モードから浴槽水供給モードに切り換えられる。この場合、開閉弁９０を閉とし、切換弁８２を切り換えて往き管１２と分岐管８０とを開通させる。このとき、ポンプ５８が駆動され、浴槽水Ｗ1 が戻り管１０、往き管１２、切換弁８２及び分岐管８０を経て洗浄水タンク２２に供給される。浴槽水Ｗ1 は、ポンプ５８によって管路７８側に圧送されるとともに、この供給時、浴槽水Ｗ1 の供給表示出力が得られる。また、この浴槽水Ｗ1 の給水量は、水量センサ９２で計測され、例えば、８リットル程度の浴槽水Ｗ1 を供給する。洗浄水タンク２２の総量Ｑに対し、８０パーセント程度の浴槽水Ｗ1 を供給する。なお、この浴槽水Ｗ1 は図示しないフィルタによって濾過するようにしてもよい。
【００３５】
この浴槽水供給モードにおいて、ステップＳ９では、所定量の浴槽水Ｗ1 が供給されたか否かを判定し、所定量の浴槽水Ｗ1 が供給されたとき、ステップＳ１０に移行する。また、所定量の浴槽水Ｗ1 が供給されない場合には、ステップＳ１０に移行して流水停止か否かを判定する。即ち、浴槽４側の浴槽水Ｗ1 が枯渇した場合には、水量センサ９２の検出出力により流水停止となり、流水停止が検出されない場合には、ステップＳ１１に移行する。
【００３６】
即ち、この浴槽水供給モードの実行により、ステップＳ９では所定量の浴槽水Ｗ1 が供給されたか否かを水量センサ９２の検出出力により判定するとともに、所定量の浴槽水Ｗ1 に到達するまで、ステップＳ１０では流水停止か否かを判定する。そして、浴槽水Ｗ1 が所定量に達し、又は流水停止の場合には、ステップＳ１１に移行して上水供給モードを実行する。即ち、洗浄水タンク２２への給水量の不足を補うとともに、必要量の給水が得られたとき、ステップＳ１１に移行して上水ＷO の供給を行う。
【００３７】
ステップＳ１１では、開閉弁９０を開、切換弁８２を追焚側として上水Ｗｏが管路７８から洗浄水タンク２２に供給される。この上水ＷO の供給により、水量センサ９２、管路７８、止水弁８８、開閉弁９０、開閉弁２４及び給水管２６、２８の洗浄が行われる。このとき、上水供給表示を表す出力が発生する。また、通常の場合、上水ＷO の給水量は、水量センサ９２で計測され、例えば、１リットル程度の上水Ｗｏを供給する。洗浄水タンク２２の総量Ｑに対し、１０パーセント程度の上水Ｗｏを供給する。また、ステップＳ９からステップＳ１０に移行した場合には、浴槽水Ｗ1 の供給量が不足しているが、その不足分は上水ＷO で補われることになる。
【００３８】
したがって、洗浄水タンク２２には、排水開始に応動して上水ＷO から浴槽水Ｗ1 、浴槽水Ｗ1 から上水ＷO の供給手順により給水が行われ、洗浄水タンク２２には開閉弁２４が閉じられることを条件に所定量の給水が行われる。浴槽水Ｗ1 の設定量が少ない場合には、最終的な上水供給モードの上水供給により、洗浄水タンク２２には所定量の洗浄水Ｗｏが溜められる。
【００３９】
そして、洗浄水タンク２２側の水位が所定水位に移行して開閉弁２４が閉じられると、これに伴って流水停止となるので、ステップＳ１２では、流水停止か否かを判定する。この流水停止は、水量センサ９２の検出出力により知ることができることは前述の通りである。この流水停止が検出されないとき、上水供給モードを維持し、流水停止が検出されたとき、ステップＳ２に移行し、給水待機モードとなる。
【００４０】
図６は、上記動作の止水弁３１、開閉弁２４の開閉パターン、上水ＷO 及び浴槽水Ｗ1 の供給及び停止パターンを示しており、洗浄水タンク２２の排水に対応して注水が行われ、その注水は上水ＷO 及び浴槽水Ｗ1 によって行われる。
【００４１】
以上述べたように、トイレの洗浄水タンク２２には、浴槽水Ｗ1 が供給され、必要に応じて上水Ｗｏを供給しているが、その量は少なく、上水Ｗｏの節水に寄与することができる。
【００４２】
次に、図７は、給湯追焚動作と洗浄水タンク２２への注水との関係動作のフローチャートを示している。
【００４３】
ステップＳ２１では、給湯追焚運転モードか否かを判定し、給湯追焚運転モードである場合には、ステップＳ２２に移行して給湯追焚運転モードを実行し、給湯追焚運転モードでない場合には、ステップＳ２３に移行して注水供給モードであるか否かを判定し、注水供給モードでない場合にはステップＳ２１に戻り、注水供給モードである場合にはステップＳ２４に移行して注水モードを実行してステップＳ２１に戻る。
【００４４】
ステップＳ２２で給湯追焚運転モードを実行した後、ステップＳ２５に移行して浴槽水Ｗ1 が不足しているか否かを水位センサ６２の検出出力を通して判定し、十分な水量がある場合にはステップＳ２１に戻り、また、水量が不足している場合にはステップＳ２６に移行して浴槽水補給モードを実行して浴槽水Ｗ1 を補給した後、ステップＳ２１に戻る。
【００４５】
従って、このような動作により、浴槽４には必要な浴槽水Ｗ1 が補給され、洗浄水タンク２２へ洗浄水の注水を行うことができる。
【００４６】
なお、給湯追焚装置２から洗浄水タンク２２への注水を浴槽に給水又は給湯する給湯給水モード、浴槽水を追焚経路を通して再加熱する追焚モード、これらの待機モードで上水に制限するようにしたが、熱線センサ等を併用することにより、浴室内に人がいる場合には入浴中として洗浄水タンクへの給水を上水に制限するようにしてもよい。
【００４７】
【発明の効果】
以上説明したように、この発明によれば、次のような効果が得られる。
ａ．トイレの主たる給水に浴槽水を利用するので、従来の上水のみの使用に比較し、節水効果が期待できる。
ｂ．既設の洗浄水タンク及びその機能を利用するので、設備コストが小さく、しかも、設備規模も簡易になる。
ｃ．使用者は洗浄水タンク側の操作のみで従来と同様の処理ができ、特別な操作が不要である。
ｄ．浴槽水と上水とを併用する給水では、手洗いに上水を使用でき、使用者に不快感を与えることがない。
【図面の簡単な説明】
【図１】本発明のトイレ注水装置の一実施形態を示す図である。
【図２】給湯追焚装置及び送水装置の内部構造を示す図である。
【図３】制御装置を示すブロック図である。
【図４】制御装置を示すブロック図である。
【図５】注水動作を示すフローチャートである。
【図６】洗浄水タンクへの注水動作を示す図である。
【図７】給湯追焚動作と注水動作の関係を示すフローチャートである。
【符号の説明】
２  給湯追焚装置
４  浴槽
８  追焚経路
１４  送水装置（送水手段）
２２  洗浄水タンク
５８  ポンプ
２００  送水制御部（制御手段）
【図１】
0003859897.tif 000002
【図２】
0003859897.tif 000003
【図３】
0003859897.tif 000004
【図４】
0003859897.tif 000005
【図５】
0003859897.tif 000006
【図６】
0003859897.tif 000007
【図７】
0003859897.tif 000008